(57)【特許請求の範囲】
【請求項１】
発電部が出力する発電電力を電力系統に系統連系する交流電力に変換する電力変換部と、該電力変換部の動作制御を行う制御部と、オン／オフ状態を切替操作可能な運転スイッチと、外部スイッチを接続可能な外部スイッチ接続部と、外部スイッチ状態信号生成回路とを備え、
該外部スイッチ状態信号生成回路は、外部スイッチ接続部に接続された外部スイッチがオン側に操作されると前記制御部にオン状態を示す信号を出力し、外部スイッチ接続部に接続された外部スイッチがオフ側に操作されると前記制御部にオフ状態を示す信号を出力し、さらに、外部スイッチ接続部に外部スイッチが接続されていないときは前記制御部にオン状態を示す信号を出力するよう構成され、
前記制御部は、前記外部スイッチ状態信号生成回路から入力する外部スイッチの状態に関する信号がオフ状態を示す信号であれば外部スイッチがオフ状態であると判定し、外部スイッチの状態に関する信号がオン状態を示す信号であれば外部スイッチがオン状態であると判定するとともに、前記運転スイッチ及び前記外部スイッチのいずれかがオフ状態であると判定すると前記電力変換部の動作制御を停止することを特徴とするパワーコンディショナ。
【請求項２】
請求項１に記載のパワーコンディショナにおいて、前記制御部は、前記運転スイッチ及び外部スイッチのいずれもがオン状態であると判定すると前記電力変換部の動作制御を開始するが、電力系統の停電発生を検知したときは、前記運転スイッチ及び外部スイッチのいずれもがオン状態であると判定しても、停電発生の検知後に前記運転スイッチ及び外部スイッチのいずれかにオン／オフ状態の変更があったことを検出するまで前記電力変換部の動作制御を停止することを特徴とするパワーコンディショナ。
【請求項３】
第１のパワーコンディショナと、第２のパワーコンディショナとを備える発電システムであって、
第１のパワーコンディショナは、発電部が出力する発電電力を電力系統に系統連系する交流電力に変換する電力変換部と、該電力変換部の動作制御を行う制御部と、外部スイッチを接続可能な外部スイッチ接続部と、外部スイッチ状態信号生成回路とを備え、該外部スイッチ状態信号生成回路は、外部スイッチ接続部に接続された外部スイッチがオン側に操作されると前記制御部にオン状態を示す信号を出力し、外部スイッチ接続部に接続された外部スイッチがオフ側に操作されると前記制御部にオフ状態を示す信号を出力し、さらに、外部スイッチ接続部に外部スイッチが接続されていないときは前記制御部にオン状態を示す信号を出力するよう構成され、
第２のパワーコンディショナは、発電部が出力する発電電力を電力系統に系統連系する交流電力に変換する電力変換部と、該電力変換部の動作制御を行う制御部と、オン／オフ状態を切替操作可能な運転スイッチとを備え、前記制御部は、第１のパワーコンディショナの制御部から外部スイッチの状態を示す信号を受信可能に構成され、第１のパワーコンディショナの制御部から受信する外部スイッチの状態に関する信号がオフ状態を示す信号であれば第１のパワーコンディショナの外部スイッチがオフ状態であると判定し、第１のパワーコンディショナの制御部から受信する外部スイッチの状態に関する信号がオン状態を示す信号であれば第１のパワーコンディショナの外部スイッチがオン状態であると判定するとともに、前記運転スイッチ及び第１のパワーコンディショナの外部スイッチのいずれかがオフ状態であると判定すると前記電力変換部の動作制御を停止することを特徴とする発電システム。
【請求項４】
請求項３に記載の発電システムにおいて、第２のパワーコンディショナの制御部は、前記運転スイッチ及び第１のパワーコンディショナの外部スイッチのいずれもがオン状態であると判定すると前記電力変換部の動作制御を開始するが、例外的に、電力系統の停電発生を検知したときは、前記運転スイッチ及び第１のパワーコンディショナの外部スイッチのいずれもがオン状態であると判定しても、停電発生の検知後に前記運転スイッチ及び第１のパワーコンディショナの外部スイッチのいずれかにオン／オフ状態の変更があったことを検出するまで前記電力変換部の動作制御を停止することを特徴とする発電システム。
【請求項５】
請求項３又は４に記載の発電システムにおいて、第２のパワーコンディショナの制御部は、第１のパワーコンディショナの制御部から外部スイッチの状態を示す信号を受信していないときは、前記運転スイッチがオン状態であれば前記電力変換部の動作制御を開始するが、電力系統の停電発生を検知したときは、前記運転スイッチがオン状態であると判定していても、停電発生の検知後に前記運転スイッチにオン／オフ状態の変更があったことを検出するまで前記電力変換部の動作制御を停止することを特徴とする発電システム。
【請求項６】
請求項３，４又は５に記載の発電システムにおいて、第２のパワーコンディショナの制御部は書換可能不揮発性メモリからなる外部スイッチ情報記憶部を備えるとともに、第１のパワーコンディショナの制御部から受信した外部スイッチの状態を前記外部スイッチ情報記憶部に記憶して、該記憶部に記憶された情報に基づいて第１のパワーコンディショナの外部スイッチの状態を判定することを特徴とする発電システム。
【請求項７】
請求項６に記載の発電システムにおいて、第２のパワーコンディショナの制御部は、前記運転スイッチが操作されたことを検出すると前記外部スイッチ情報記憶部に記憶された情報をオン状態に上書きすることを特徴とする発電システム。
【請求項８】
請求項３〜７のいずれか１項に記載の発電システムの第２のパワーコンディショナにおいて、第１のパワーコンディショナと同様の外部スイッチ接続部及び外部スイッチ状態信号生成回路をさらに備え、前記制御部は、前記運転スイッチ、第１のパワーコンディショナの外部スイッチ及び自機の外部スイッチのいずれかがオフ状態であると判定すると前記電力変換部の動作制御を停止するとともに、第１のパワーコンディショナの制御部から外部スイッチの状態を示す信号を受信していないときは、前記運転スイッチ及び自機の外部スイッチのいずれもがオン状態であると判定すると前記電力変換部の動作制御を開始することを特徴とするパワーコンディショナ。
【請求項９】
複数のパワーコンディショナを備える発電システムであって、
各パワーコンディショナは、発電部が出力する発電電力を電力系統に系統連系する交流電力に変換する電力変換部と、該電力変換部の動作制御を行う制御部と、オン／オフ状態を切替操作可能な運転スイッチと、外部スイッチを接続可能な外部スイッチ接続部と、外部スイッチ状態信号生成回路とを備え、該外部スイッチ状態信号生成回路は、外部スイッチ接続部に接続された外部スイッチがオン側に操作されると前記制御部にオン状態を示す信号を出力し、外部スイッチ接続部に接続された外部スイッチがオフ側に操作されると前記制御部にオフ状態を示す信号を出力し、さらに、外部スイッチ接続部に外部スイッチが接続されていないときは前記制御部にオン状態を示す信号を出力するよう構成され、
複数のパワーコンディショナの制御部は通信可能に接続されるとともに、各パワーコンディショナの制御部は、親機モード及び子機モードのいずれかに動作モードを設定変更可能に構成され、
親機モードに設定されたとき、前記制御部は、他のパワーコンディショナの制御部から外部スイッチの状態を示す信号を受信して、各パワーコンディショナの制御部から受信する外部スイッチの状態を示す信号がオフ状態を示す信号であれば当該パワーコンディショナの外部スイッチがオフ状態であると判定し、各パワーコンディショナの制御部から受信する外部スイッチの状態に関する信号がオン状態を示す信号であれば当該パワーコンディショナの外部スイッチがオン状態であると判定するとともに、自機の外部スイッチ状態信号生成回路から入力する外部スイッチの状態に関する信号がオフ状態を示す信号であれば自機の外部スイッチがオフ状態であると判定し、自機の外部スイッチ状態信号生成回路から入力する外部スイッチの状態に関する信号がオン状態を示す信号であれば自機の外部スイッチがオン状態であると判定するとともに、自機を含むすべてのパワーコンディショナの外部スイッチのいずれかがオフ状態であると判定すると他のパワーコンディショナの制御部に動作禁止指令信号を送信し、
子機モードに設定されたとき、前記制御部は、前記動作禁止指令信号を受信したとき並びに自機の運転スイッチがオフ状態であると判定したときのいずれの場合にも前記電力変換部の動作制御を停止することを特徴とする発電システム。
【請求項１０】
複数のパワーコンディショナを備える発電システムであって、
各パワーコンディショナは、発電部が出力する発電電力を電力系統に系統連系する交流電力に変換する電力変換部と、該電力変換部の動作制御を行う制御部と、オン／オフ状態を切替操作可能な運転スイッチと、外部スイッチを接続可能な外部スイッチ接続部と、外部スイッチ状態信号生成回路とを備え、該外部スイッチ状態信号生成回路は、外部スイッチ接続部に接続された外部スイッチがオン側に操作されると前記制御部にオン状態を示す信号を出力し、外部スイッチ接続部に接続された外部スイッチがオフ側に操作されると前記制御部にオフ状態を示す信号を出力し、さらに、外部スイッチ接続部に外部スイッチが接続されていないときは前記制御部にオン状態を示す信号を出力するよう構成され、
複数のパワーコンディショナの制御部は通信可能に接続され、
各パワーコンディショナの制御部は、他のパワーコンディショナの制御部から外部スイッチの状態を示す信号を受信して、各パワーコンディショナの制御部から受信する外部スイッチの状態を示す信号がオフ状態を示す信号であれば当該パワーコンディショナの外部スイッチがオフ状態であると判定し、各パワーコンディショナの制御部から受信する外部スイッチの状態に関する信号がオン状態を示す信号であれば当該パワーコンディショナの外部スイッチがオン状態であると判定するとともに、自機の外部スイッチ状態信号生成回路から入力する外部スイッチの状態に関する信号がオフ状態を示す信号であれば自機の外部スイッチがオフ状態であると判定し、自機の外部スイッチ状態信号生成回路から入力する外部スイッチの状態に関する信号がオン状態を示す信号であれば自機の外部スイッチがオン状態であると判定するとともに、自機を含むすべてのパワーコンディショナの外部スイッチのいずれかがオフ状態であると判定したとき並びに自機の運転スイッチがオフ状態であると判定したときのいずれの場合にも前記電力変換部の動作制御を停止することを特徴とする発電システム。
【発明の詳細な説明】
【技術分野】
【０００１】
本発明は、太陽光発電システムなどに具備されて発電電力を電力系統に系統連系させるパワーコンディショナ、並びに、複数のパワーコンディショナが通信接続された発電システムに関する。
【背景技術】
【０００２】
パワーコンディショナの系統連系運転中に商用電力系統の停電が発生し、その停電状態から正常状態に復帰した場合に、パワーコンディショナに設けられた運転スイッチが手動操作されるまでパワーコンディショナの運転を再開させないように設定可能に構成されたものがある。かかる構成のパワーコンディショナを屋外に複数台設置した場合には、停電復帰時にすべてのパワーコンディショナの運転スイッチを手動操作する必要があるが、太陽光発電システムを設置する建物の構造やシステムの規模等によっては、複数台のパワーコンディショナの設置場所が離れているケースもあり、すべてのパワーコンディショナの運転スイッチを操作して回る作業が煩雑となるという問題が生じる。
【０００３】
一方、通信機能を備えたリモコンを用いて複数台のパワーコンディショナを一括操作するものが、例えば下記の特許文献１に開示されているが、発電量の表示などの付加機能が不要なユーザにとっては操作リモコンは割高感があり、また、接続できる台数が制限されるものが多く、現場毎のシステム構成上の制約が生じるという問題が生じる。
【先行技術文献】
【特許文献】
【０００４】
【特許文献１】特許第４２９３６７３号公報
【発明の概要】
【発明が解決しようとする課題】
【０００５】
そこで、本発明は、コストアップを抑制しつつも、複数のパワーコンディショナを一括操作することができるようにするとともに、柔軟なシステム構成に対応可能にすることを目的とする。
【課題を解決するための手段】
【０００６】
上記目的を達成するために、本発明は、次の技術的手段を講じた。
【０００７】
すなわち、本発明の第１態様に係るパワーコンディショナは、発電部が出力する発電電力を電力系統に系統連系する交流電力に変換する電力変換部と、該電力変換部の動作制御を行う制御部と、オン／オフ状態を切替操作可能な運転スイッチと、外部スイッチを接続可能な外部スイッチ接続部と、外部スイッチ状態信号生成回路とを備え、該外部スイッチ状態信号生成回路は、外部スイッチ接続部に接続された外部スイッチがオン側に操作されると前記制御部にオン状態を示す信号を出力し、外部スイッチ接続部に接続された外部スイッチがオフ側に操作されると前記制御部にオフ状態を示す信号を出力し、さらに、外部スイッチ接続部に外部スイッチが接続されていないときは前記制御部にオン状態を示す信号を出力するよう構成され、前記制御部は、前記運転スイッチ及び前記外部スイッチのいずれかがオフ状態であると判定すると前記電力変換部の動作制御を停止することを特徴とするものである（請求項１）。
【０００８】
かかる本発明のパワーコンディショナによれば、自機に備えられた運転スイッチと、パワーコンディショナとは独立して設けられた外部スイッチのいずれの操作によっても電力変換部の動作制御を停止させることができるので、外部スイッチを建物の利便性の良い場所に設置することにより、停電復帰時等におけるパワーコンディショナの運転のオン／オフ切替え操作を迅速に行うことができる。また、１台のパワーコンディショナのみを設置する場合など、外部スイッチの設置の必要がなければ外部スイッチを設けずともよく、外部スイッチが外部スイッチ接続部に接続されていないときでも外部スイッチ状態信号生成回路によって外部スイッチがオン状態であることを示す信号が制御部に出力されるため、制御部は、外部スイッチがオン状態であると判定して電力変換部の動作制御の開始並びに停止を行わせることができる。また、同一仕様の本発明のパワーコンディショナを複数台設置する場合にも、いずれか一のパワーコンディショナの外部スイッチ接続部に外部スイッチを接続して、当該パワーコンディショナから他のパワーコンディショナへ外部スイッチの状態を示す信号を送信させることにより、共通の外部スイッチを用いて複数台のパワーコンディショナを一括操作でき、リモコンにより一括操作するものに比して装置構成も簡素でコスト低減を図ることができる。
【０００９】
上記本発明のパワーコンディショナにおいて、前記制御部は、前記運転スイッチ及び外部スイッチのいずれもがオン状態であると判定すると前記電力変換部の動作制御を開始するが、電力系統の停電発生を検知したときは、前記運転スイッチ及び外部スイッチのいずれもがオン状態であると判定しても、停電発生の検知後に前記運転スイッチ及び外部スイッチのいずれかにオン／オフ状態の変更があったことを検出するまで前記電力変換部の動作制御を停止するものとすることができる（請求項２）。かかる構成によれば、停電発生後、運転スイッチ及び外部スイッチのいずれかを操作することによって停電発生時の運転停止状態を解除することができる。
【００１０】
また、本発明の第２態様に係る発電システムは、第１のパワーコンディショナと、第２のパワーコンディショナとを備えるものとして好適に実施できる。第１のパワーコンディショナは、発電部が出力する発電電力を電力系統に系統連系する交流電力に変換する電力変換部と、該電力変換部の動作制御を行う制御部と、外部スイッチを接続可能な外部スイッチ接続部と、外部スイッチ状態信号生成回路とを備え、該外部スイッチ状態信号生成回路は、外部スイッチ接続部に接続された外部スイッチがオン側に操作されると前記制御部にオン状態を示す信号を出力し、外部スイッチ接続部に接続された外部スイッチがオフ側に操作されると前記制御部にオフ状態を示す信号を出力し、さらに、外部スイッチ接続部に外部スイッチが接続されていないときは前記制御部にオン状態を示す信号を出力するよう構成される。第２のパワーコンディショナは、発電部が出力する発電電力を電力系統に系統連系する交流電力に変換する電力変換部と、該電力変換部の動作制御を行う制御部と、オン／オフ状態を切替操作可能な運転スイッチとを備え、前記制御部は、第１のパワーコンディショナの制御部から外部スイッチの状態を示す信号を受信可能に構成されているとともに、前記運転スイッチ及び第１のパワーコンディショナの外部スイッチのいずれかがオフ状態であると判定すると前記電力変換部の動作制御を停止する（請求項３）。
【００１１】
かかる本発明の発電システムによれば、第２のパワーコンディショナの電力変換部の動作制御の停止を、第１のパワーコンディショナに接続した外部スイッチの操作によって行うことができ、第２のパワーコンディショナが第１のパワーコンディショナから離れた場所に設置されていても、第１のパワーコンディショナの周辺から第２のパワーコンディショナの運転停止操作や再開操作を行うことができる。また、外部スイッチが不要な場合には外部スイッチを第１のパワーコンディショナに接続する必要はなく、その場合でも、第１のパワーコンディショナから第２のパワーコンディショナに外部スイッチがオン状態であることを示す信号が送信されるため、第２のパワーコンディショナが運転停止したまま運転を再開しないという状態となることを防止できる。
【００１２】
なお、第１のパワーコンディショナは、上記した本発明の第１態様に係るパワーコンディショナの構成を全て備えることができる。この場合、第１及び第２のパワーコンディショナに共通の外部スイッチの操作によって、第１及び第２のパワーコンディショナを一括して運転停止、又は、運転開始させることができる。
【００１３】
また、第１及び第２のパワーコンディショナは同一仕様のパワーコンディショナを用いて、制御部の設定変更によってそれぞれ第１又は第２のパワーコンディショナとして動作させることが可能である。例えば、各パワーコンディショナの制御部は、親機モードと子機モードのいずれかに動作モードを設定変更可能に構成されたものとして、親機モードが設定された場合に第１のパワーコンディショナとして動作し、子機モードが設定された場合に第２のパワーコンディショナとして動作するよう構成できる。第２のパワーコンディショナは複数台設置されていてもよい。
【００１４】
上記本発明の第２態様に係る発電システムにおいて、第２のパワーコンディショナの制御部は、前記運転スイッチ及び第１のパワーコンディショナの外部スイッチのいずれもがオン状態であると判定すると前記電力変換部の動作制御を開始するが、例外的に、電力系統の停電発生を検知したときは、前記運転スイッチ及び第１のパワーコンディショナの外部スイッチのいずれもがオン状態であると判定しても、停電発生の検知後に前記運転スイッチ及び第１のパワーコンディショナの外部スイッチのいずれかにオン／オフ状態の変更があったことを検出するまで前記電力変換部の動作制御を停止するものとすることができる（請求項４）。かかる構成によれば、運転スイッチ及び外部スイッチの状態にかかわらず、停電発生時に第２のパワーコンディショナを運転停止状態で維持させることができ、停電復帰時に運転スイッチ及び外部スイッチのいずれかを一旦オフ側に操作して再度オン側に操作することによって運転停止状態が解除され、第２のパワーコンディショナの電力変換部の動作制御を再開させることができる。
【００１５】
さらに、第２のパワーコンディショナの制御部は、第１のパワーコンディショナの制御部から外部スイッチの状態を示す信号を受信していないときは、前記運転スイッチがオン状態であれば前記電力変換部の動作制御を開始するが、電力系統の停電発生を検知したときは、前記運転スイッチがオン状態であると判定していても、停電発生の検知後に前記運転スイッチにオン／オフ状態の変更があったことを検出するまで前記電力変換部の動作制御を停止するものとすることができる（請求項５）。これによれば、第１のパワーコンディショナと第２のパワーコンディショナとの間の通信異常や配線ミス、若しくは、各パワーコンディショナの設定ミス等によって第２のパワーコンディショナの制御部が第１のパワーコンディショナの制御部から外部スイッチの状態を示す信号を受信できず、これにより第１のパワーコンディショナの外部スイッチの状態が不明であるときでも、第２のパワーコンディショナを自機の運転スイッチの状態に基づいて運転させることができる。
【００１６】
また、第２のパワーコンディショナの制御部は書換可能不揮発性メモリからなる外部スイッチ情報記憶部を備えるとともに、第１のパワーコンディショナの制御部から受信した外部スイッチの状態を前記外部スイッチ情報記憶部に記憶して、該記憶部に記憶された情報に基づいて第１のパワーコンディショナの外部スイッチの状態を判定するものとすることができる（請求項６）。これによれば、特に全量買取用の太陽光発電システムにおいて、日没時は電源断により各パワーコンディショナの制御部の電源がオフとなり、日の出時に第２のパワーコンディショナの制御部が第１のパワーコンディショナの制御部よりも先に起動すると、外部スイッチがオフ側に操作されているにもかかわらず第１のパワーコンディショナとの通信が確立しないことにより外部スイッチの状態に関する信号を受信できず、外部スイッチの設定に則した動作ができずに第２のパワーコンディショナの運転が開始されてしまうおそれがあるが、本発明によれば、日没前に外部スイッチ情報記憶部に記憶した情報に基づいて第２のパワーコンディショナの制御部の起動後に運転を再開するか否かを判定させることができ、外部スイッチがオフ側に設定されているにもかかわらず第２のパワーコンディショナの運転が開始されてしまうことを回避できる。
【００１７】
さらに、第２のパワーコンディショナの制御部は、前記運転スイッチが操作されたことを検出すると前記外部スイッチ情報記憶部に記憶された情報をオン状態に上書きするよう構成できる（請求項７）。これによれば、外部スイッチ情報の記憶を自機の運転スイッチの操作によってリセットできるため、断線等による通信異常時でも第２のパワーコンディショナの運転停止状態から発電動作に復帰させることができ、第２のパワーコンディショナに対応する発電部が発電した電力を無駄にすることなく有効利用することができる。
【００１８】
上記本発明の第２態様に係る発電システムの第２のパワーコンディショナは、第１のパワーコンディショナと同様の外部スイッチ接続部及び外部スイッチ状態信号生成回路をさらに備えることができる。また、第２のパワーコンディショナの制御部は、前記運転スイッチ、第１のパワーコンディショナの外部スイッチ及び自機の外部スイッチのいずれかがオフ状態であると判定すると前記電力変換部の動作制御を停止するとともに、第１のパワーコンディショナの制御部から外部スイッチの状態を示す信号を受信していないときは、前記運転スイッチ及び自機の外部スイッチのいずれもがオン状態であると判定すると前記電力変換部の動作制御を開始するよう構成できる（請求項８）。かかる構成のパワーコンディショナによれば、誤施工等によって第２のパワーコンディショナが単独で設置されてしまった場合（例えば、１台設置で、親機モードに設定すべきものを子機モードに設定された場合など）や、第１のパワーコンディショナには外部スイッチが接続されず、第２のパワーコンディショナに外部スイッチが誤って接続された場合などにおいても、第２のパワーコンディショナに接続された外部スイッチの操作によって、第２のパワーコンディショナの運転を停止させることができる。
【００１９】
また、本発明の第３態様に係る発電システムは、複数のパワーコンディショナを備え、各パワーコンディショナは、発電部が出力する発電電力を電力系統に系統連系する交流電力に変換する電力変換部と、該電力変換部の動作制御を行う制御部と、オン／オフ状態を切替操作可能な運転スイッチと、外部スイッチを接続可能な外部スイッチ接続部と、外部スイッチ状態信号生成回路とを備え、該外部スイッチ状態信号生成回路は、外部スイッチ接続部に接続された外部スイッチがオン側に操作されると前記制御部にオン状態を示す信号を出力し、外部スイッチ接続部に接続された外部スイッチがオフ側に操作されると前記制御部にオフ状態を示す信号を出力し、さらに、外部スイッチ接続部に外部スイッチが接続されていないときは前記制御部にオン状態を示す信号を出力するよう構成され、複数のパワーコンディショナの制御部は通信可能に接続されるとともに、各パワーコンディショナの制御部は、親機モード及び子機モードのいずれかに動作モードを設定変更可能に構成され、親機モードに設定されたとき、前記制御部は、他のパワーコンディショナの制御部から外部スイッチの状態を示す信号を受信するとともに、自機を含むすべてのパワーコンディショナの外部スイッチのいずれかがオフ状態であると判定すると他のパワーコンディショナの制御部に動作禁止指令信号を送信し、子機モードに設定されたとき、前記制御部は、前記動作禁止指令信号を受信したとき並びに自機の運転スイッチがオフ状態であると判定したときのいずれの場合にも前記電力変換部の動作制御を停止するものとすることができる（請求項９）。このように、全てのパワーコンディショナに外部スイッチ接続部及び外部スイッチ状態信号生成回路を設けて、全てのパワーコンディショナの外部スイッチ状態信号を親機に集約させ、親機が全てのパワーコンディショナを運転するか否かを統括管理するよう構成することにより、どのパワーコンディショナに外部スイッチを接続してもこの外部スイッチによりすべてのパワーコンディショナを一括操作可能となり、施工性が向上するとともに、簡易な構成であるためコスト低減を図ることができる。
【００２０】
また、本発明の第４態様に係る発電システムは、複数のパワーコンディショナを備え、各パワーコンディショナは、発電部が出力する発電電力を電力系統に系統連系する交流電力に変換する電力変換部と、該電力変換部の動作制御を行う制御部と、オン／オフ状態を切替操作可能な運転スイッチと、外部スイッチを接続可能な外部スイッチ接続部と、外部スイッチ状態信号生成回路とを備え、該外部スイッチ状態信号生成回路は、外部スイッチ接続部に接続された外部スイッチがオン側に操作されると前記制御部にオン状態を示す信号を出力し、外部スイッチ接続部に接続された外部スイッチがオフ側に操作されると前記制御部にオフ状態を示す信号を出力し、さらに、外部スイッチ接続部に外部スイッチが接続されていないときは前記制御部にオン状態を示す信号を出力するよう構成され、複数のパワーコンディショナの制御部は通信可能に接続され、各パワーコンディショナの制御部は、他のパワーコンディショナの制御部から外部スイッチの状態を示す信号を受信するとともに、自機を含むすべてのパワーコンディショナの外部スイッチのいずれかがオフ状態であると判定したとき並びに自機の運転スイッチがオフ状態であると判定したときのいずれの場合にも前記電力変換部の動作制御を停止するものとすることができる（請求項１０）。かかる構成においては、すべてのパワーコンディショナの制御部は対等に動作し、各パワーコンディショナの制御部がそれぞれ自律的に動作してすべてのパワーコンディショナの外部スイッチ情報を収集して、自機を運転するか否かを判断させている。このように、自機の外部スイッチ情報を他のパワーコンディショナに対して通信により共有させ、各パワーコンディショナがすべてのパワーコンディショナの外部スイッチ情報と自機の運転スイッチとに基づいて電力変換部の動作制御を開始するか停止するかを判断させることによっても、どのパワーコンディショナに外部スイッチが接続されていても一括操作可能となり、施工性が向上する。
【００２１】
なお、上記した各態様において、制御部は、系統電力の電圧センサからの電圧検知信号を入力して、自らが自律的に停電発生を検知するものであってもよく、また、他のパワーコンディショナやその他の適宜の外部機器から停電発生を示す信号を受信して、該信号に基づいて停電発生を検知するものであってもよい。また、制御部は、上記のような動作を行うように設定可能に構成されていればよく、異なる設定をすることにより異なる動作をするものであってよい。例えば停電時自動復帰禁止設定がなされているときに上記の動作を行い、停電時自動復帰許可設定がなされているときは、電力系統が停電から復帰したことを検知すると自動的に電力変換部の動作制御を再開させるよう構成することもできる。
【発明の効果】
【００２２】
本発明の請求項１に係るパワーコンディショナによれば、自機に備えられた運転スイッチと、パワーコンディショナとは独立して設けられた外部スイッチのいずれの操作によっても電力変換部の動作制御を停止させることができるので、外部スイッチを建物の利便性の良い場所に設置することにより、停電復帰時等におけるパワーコンディショナの運転のオン／オフ切替え操作を迅速に行うことができる。また、１台のパワーコンディショナのみを設置する場合など、外部スイッチの設置の必要がなければ外部スイッチを設けずともよく、外部スイッチが外部スイッチ接続部に接続されていないときでも外部スイッチ状態信号生成回路によって外部スイッチがオン状態であることを示す信号が制御部に出力されるため、制御部は、外部スイッチがオン状態であると判定して電力変換部の動作制御の開始並びに停止を行わせることができる。また、同一仕様の本発明のパワーコンディショナを複数台設置する場合にも、いずれか一のパワーコンディショナの外部スイッチ接続部に外部スイッチを接続して、当該パワーコンディショナから他のパワーコンディショナへ外部スイッチの状態を示す信号を送信させることにより、共通の外部スイッチを用いて複数台のパワーコンディショナを一括操作でき、リモコンにより一括操作するものに比して装置構成も簡素でコスト低減を図ることができる。
【００２３】
また、本発明の請求項２に係るパワーコンディショナによれば、停電発生後、運転スイッチ及び外部スイッチのいずれかを操作することによって停電発生時の運転停止状態を解除することができる。
【００２４】
また、本発明の請求項３に係る発電システムによれば、第２のパワーコンディショナの電力変換部の動作制御の停止を、第１のパワーコンディショナに接続した外部スイッチの操作によって行うことができ、第２のパワーコンディショナが第１のパワーコンディショナから離れた場所に設置されていても、第１のパワーコンディショナの周辺から第２のパワーコンディショナの運転停止操作や再開操作を行うことができる。また、外部スイッチが不要な場合には外部スイッチを第１のパワーコンディショナに接続する必要はなく、その場合でも、第１のパワーコンディショナから第２のパワーコンディショナに外部スイッチがオン状態であることを示す信号が送信されるため、第２のパワーコンディショナが運転停止したまま運転を再開しないという状態となることを防止できる。
【００２５】
また、本発明の請求項４に係る発電システムによれば、運転スイッチ及び外部スイッチの状態にかかわらず、停電発生時に第２のパワーコンディショナを運転停止状態で維持させることができ、停電復帰時に運転スイッチ及び外部スイッチのいずれかを一旦オフ側に操作して再度オン側に操作することによって運転停止状態が解除され、第２のパワーコンディショナの電力変換部の動作制御を再開させることができる。
【００２６】
また、本発明の請求項５に係る発電システムによれば、第１のパワーコンディショナと第２のパワーコンディショナとの間の通信異常や配線ミス、若しくは、各パワーコンディショナの設定ミス等によって第２のパワーコンディショナの制御部が第１のパワーコンディショナの制御部から外部スイッチの状態を示す信号を受信できず、これにより第１のパワーコンディショナの外部スイッチの状態が不明であるときでも、第２のパワーコンディショナを自機の運転スイッチの状態に基づいて運転させることができる。
【００２７】
また、本発明の請求項６に係る発電システムによれば、日没前に外部スイッチ情報記憶部に記憶した情報に基づいて第２のパワーコンディショナの制御部の起動後に運転を再開するか否かを判定させることができ、外部スイッチがオフ側に設定されているにもかかわらず第２のパワーコンディショナの運転が開始されてしまうことを回避できる。
【００２８】
また、本発明の請求項７に係る発電システムによれば、外部スイッチ情報の記憶を自機の運転スイッチの操作によってリセットできるため、断線等による通信異常時でも第２のパワーコンディショナの運転停止状態から発電動作に復帰させることができ、第２のパワーコンディショナに対応する発電部が発電した電力を無駄にすることなく有効利用することができる。
【００２９】
また、本発明の請求項８に係るパワーコンディショナによれば、誤施工等によって第２のパワーコンディショナが単独で設置されてしまった場合（例えば、１台設置で、親機モードに設定すべきものを子機モードに設定された場合など）や、第１のパワーコンディショナには外部スイッチが接続されず、第２のパワーコンディショナに外部スイッチが誤って接続された場合などにおいても、第２のパワーコンディショナに接続された外部スイッチの操作によって、第２のパワーコンディショナの運転を停止させることができる。
【００３０】
また、本発明の請求項９に係る発電システムによれば、全てのパワーコンディショナに外部スイッチ接続部及び外部スイッチ状態信号生成回路を設けて、全てのパワーコンディショナの外部スイッチ状態信号を親機に集約させ、親機が全てのパワーコンディショナを運転するか否かを統括管理するよう構成することにより、どのパワーコンディショナに外部スイッチを接続してもこの外部スイッチによりすべてのパワーコンディショナを一括操作可能となり、施工性が向上するとともに、簡易な構成であるためコスト低減を図ることができる。
【００３１】
また、本発明の請求項１０に係る発電システムによれば、自機の外部スイッチ情報を他のパワーコンディショナに対して通信により共有させ、各パワーコンディショナがすべてのパワーコンディショナの外部スイッチ情報と自機の運転スイッチとに基づいて電力変換部の動作制御を開始するか停止するかを判断させることによっても、どのパワーコンディショナに外部スイッチが接続されていても一括操作可能となり、施工性が向上する。
【図面の簡単な説明】
【００３２】
【図１】本発明の一実施形態に係る発電システムの全体ブロック図である。
【図２】同発電システムのパワーコンディショナのブロック図である。
【図３】同発電システムのパワーコンディショナ間の通信タイミングを説明するためのタイミングチャートである。
【発明を実施するための形態】
【００３３】
以下、本発明の好適な実施形態を図面に基づいて説明する。
【００３４】
図１は本発明の一実施形態に係るパワーコンディショナ１を複数備える太陽光発電システムを示し、該発電システムは、複数（図示例では９つ）の太陽電池アレイ２（以下、「発電部」という。）と、各発電部２に対応してそれぞれ設けられた複数のパワーコンディショナ１とから主構成されている。各パワーコンディショナ１は、対応する発電部２が発電出力する直流電力を商用電力系統３に系統連系する交流電力に変換して系統３に出力する電力変換回路（電力変換部）を備えている。最上部に図示されたパワーコンディショナ１は通信上の親機として動作するよう設定され、その他のパワーコンディショナ１は通信上の子機として動作するよう設定されるものとして例示している。なお、本実施形態では、すべてのパワーコンディショナ１は同一仕様の製品として出荷され、現場で設置する際に施工者が親機モード若しくは子機モードの設定を行うことでパワーコンディショナ１間の通信が確立するものとなされている。また、本明細書において、親機として動作するパワーコンディショナ１を単に「親機」ということがあり、子機として動作するパワーコンディショナ１を単に「子機」ということがあるものとする。
【００３５】
各パワーコンディショナ１の出力は系統３に対して並列に接続されており、系統３には住宅内の種々の電気負荷４が接続されている。この電気負荷４に対して系統電力よりも発電電力を優先供給するために、パワーコンディショナ１の出力の実効電圧は系統電力の実効電圧よりも僅かに大きくなるように調整され、電気負荷４で消費しきれない余剰発電電力は系統３に逆潮流させることで売電可能になっている。なお、発電電力を電気負荷４には供給せず全量買取用途として構成することもできる。系統３と電気負荷４との間には、売買電電力を測定するための電圧センサ５及び電流センサ６（カレントトランス）が設けられており、これらセンサ５，６は、親機の入力端子５Ａ，６Ａに接続されている。また、発電電力量や売買電電力量を表示するための外部モニタ装置７が設けられており、該外部モニタ装置７は、親機の二芯通信端子７Ａに接続された無線インターフェース７Ｂを介して所定の通信プロトコルによって情報制御部１４Ｂ（図２参照）と互いに通信するようになっている。なお、二芯通信端子７Ａには給湯器７Ｃやそのリモコン（図示せず）など、二芯通信回路を具備する適宜の機器を接続して、通信により停電発生の検知情報や外部スイッチ状態情報などの種々の情報の交換を相互に行うことができる。
【００３６】
各発電部２は、従来公知の適宜の構成であってよく、一般的には、複数の太陽電池モジュールを直列乃至並列に接続してなり、建物の屋根などに設置される。各発電部２は、発電出力される直流電力が、対応するパワーコンディショナ１の電力入力部１ａに入力されるように配線接続されている。なお、昇圧接続箱を介して発電部２をパワーコンディショナ１の電力入力部１ａに入力させることもできる。発電部２としては、例えば１００〜１４０Ｖ程度の定格発電電力の太陽電池アレイを採用できる。
【００３７】
各パワーコンディショナ１の電力変換回路は、図２に示すように、ＤＣリンクコンデンサにより構成されるＤＣリンク部１０と、発電部２から供給される直流電力を交流の系統電圧の最大値（例えば２００Ｖ交流電力の場合は２８０Ｖ）に対応する所定電圧（例えば３５０Ｖ）に昇圧するよう電力変換してＤＣリンク部１０に出力する昇圧チョッパ回路からなるＤＣ／ＤＣコンバータ１１と、ＤＣリンク部１０から供給される直流電力を系統電力に連系する交流電力に電力変換して系統３に出力するための電圧形ブリッジインバータ１２（ＤＣ／ＡＣインバータ）と、インバータ１２の出力側に設けられた解列用保護リレー１３とから主構成される。また、各パワーコンディショナ１は、各種制御を行う制御部を備えており、本実施形態では、制御部は、主として電力変換回路の電力変換動作制御を行う電力変換制御部１４Ａと、主として通信制御や表示制御を行うための情報制御部１４Ｂとにより構成されている。
【００３８】
コンバータ１１を構成する昇圧チョッパ回路は、昇圧リアクトル１１０と、該昇圧リアクトル１１０への昇圧動作時の電流の逆流を防止する昇圧用整流器１１１と、昇圧リアクトル１１０の蓄積エネルギーを制御するＩＧＢＴなどのスイッチング素子１１２とを備えており、整流器１１１のカソード側がＤＣリンク部１０の正極側に接続されている。電力変換制御部１４ＡはＭＰＰＴ制御に基づきスイッチング素子１１２のオン／オフを制御することによりコンバータ１１の入出力電力制御を行うように構成されている。
【００３９】
インバータ１２は、フルブリッジ形の電圧形ブリッジインバータであり、４つのＩＧＢＴなどのスイッチング素子１２０をＨブリッジ形に接続するとともに各スイッチング素子１２０に帰還ダイオード１２１を並列接続することにより構成されており、その出力側には連系リアクトル１２２が設けられている。このインバータ１２は、電力変換制御部１４Ａによるいわゆる電流モード制御（電圧形インバータの電流制御）を行うことによって出力電流を制御するものであり、系統３への電力出力時はＤＣリンク部１０からの直流電力がＰＷＭ制御若しくはＰＡＭ制御によって交流電力に変換され系統へ出力される。
【００４０】
発電部２とコンバータ１１との間の直流電路には、発電部２からパワーコンディショナ１に供給される直流電力の電圧を測定する電圧センサ８と、上記直流電路を流れる電流値を検出する電流センサ９とが設けられている。なお、これら電圧センサ８及び電流センサ９は、図示実施例ではパワーコンディショナ１の筐体に内蔵しているが、筐体の外部において直流電路に接続することもできる。電圧センサ８及び電流センサ９の検出値は電力変換制御部１４Ａに入力され、上記コンバータ１１及びインバータ１２の動作制御のパラメータや発電量の演算等のために利用される。
【００４１】
また、本実施形態では、ＤＣリンク部１０から電力変換制御部１４Ａ及び情報制御部１４Ｂに動作電力を給電するように構成されており、これにより発電中は発電電力によって各制御部１４Ａ，１４Ｂを動作させることができるようになっている。具体的には、パワーコンディショナ１は、制御部１４Ａ，１４Ｂの電源として機能するレギュレータ１４０（電源回路）と、該レギュレータ１４０の電力入力端子にＤＣリンク部１０から直流電力を供給するための給電線１４１を備え、該給電線１４１には逆流防止用ダイオード１４２が設けられている。
【００４２】
電力変換制御部１４Ａは、主としてコンバータ１１及びインバータ１２における各電力変換動作並びに保護リレー１３の遮断動作を制御するものであり、情報制御部１４Ｂは、主として外部機器との各種通信制御を行うものである。これら各制御機能は制御プログラムとして実装することができるが、各制御機能に対応する専用回路によって構成されていてもよい。電力変換制御部１４Ａと情報制御部１４ＢとはＵＡＲＴ通信等の適宜の通信プロトコルにより相互に通信可能に接続されている。また、電力変換制御部１４Ａは、電圧センサ５の検出値に基づいて停電の発生を検知可能に構成され、停電発生時には保護リレー１３を解列動作させるとともにすべての電力変換動作を停止し、停電発生を示す信号を情報制御部１４Ｂに送信する。
【００４３】
各パワーコンディショナ１の情報制御部１４Ｂは、図１に示すように、通信ユニット１５を介してデジタルデータバス３０に接続され、すべてのパワーコンディショナの情報制御部１４Ｂが相互に通信可能に接続されて、各パワーコンディショナ１毎に設定されるユニークな通信ＩＤを用いて他の特定のパワーコンディショナとの間でユニキャスト通信可能であるとともに他の不特定のパワーコンディショナに対してブロードキャスト通信可能に構成されている。通信ユニット１５としては例えばＲＳ−４８５規格のシリアル通信ユニットなどの単一通信ライン上で半二重方式による１対多の通信を行う通信ユニットを用いることができ、該通信ユニット１５はデータバス３０を流れるデータをすべて取り込んで情報制御部１４Ｂに送出するように構成されている。すなわち、通信ユニット１５においては後述のＩＤによる受信データの取捨選択は行わず、自局のＩＤとは異なる他のＩＤ宛のデータもすべて情報制御部１４Ｂに送出する。該通信ユニット１５は２つの接続ポート１５ａを備えて、カスケード接続で複数のパワーコンディショナ１と順次接続可能に構成されている。通信プロトコルとしては、親機の情報制御部１４Ｂ（主局）が各子機の情報制御部１４Ｂ（従局）との通信を制御するマスター・スレーブ方式を採用することが好ましい。例えば、図３に示すように、親機（マスター）の情報制御部１４Ｂが、所定周期（例えば５秒毎）でデータバス３０に通信要求信号をブロードキャストし、該通信要求信号を受信した各子機（スレーブ）の情報制御部１４Ｂが、通信要求信号の受信時点を基準として通信ＩＤ毎に設定された遅延時間後から１パケット分のデータ容量内で発電部２の発電量情報やその他の情報を含む応答データ信号をデータバス３０に送出して、該応答データ信号を親機の情報制御部１４Ｂがデータバス３０から受信するように構成できる。なお、異なる通信ＩＤの各パケット通信のための通信割当時間Ｔｓ（例えば数十ミリ秒）の間には所定のインターバルＴｍ（例えば、数十ミリ秒）を設けておくことが好ましい。
【００４４】
なお、各パワーコンディショナ１の親機モード及び子機モードの設定は適宜の方法によって行うことができ、各情報制御部１４Ｂ同士の通信により自動的に設定されるように構成してもよく、また、ディップスイッチやその他の設定操作によって設定されるものであってもよい。
【００４５】
各パワーコンディショナ１の筐体のフロントパネルには、７セグメント表示器により構成される複数桁の表示部３１と、運転スイッチ３２とが配設されている。各パワーコンディショナ１の情報制御部１４Ｂは、上記表示部３１の表示動作を制御するとともに、運転スイッチ３２の操作を監視する。運転スイッチ３２としては、オン／オフ状態をラッチ式で切替え操作可能な接点式スイッチを用いることもでき、また、タッチスイッチにより構成することもできる。接点式スイッチを用いる場合は、情報制御部１４Ｂは必要時に運転スイッチ３２を接続した入力ポートを参照することにより運転スイッチ３２のオン／オフ状態を検出できる。一方、タッチスイッチを用いる場合は、情報制御部１４Ｂに備えられた書換可能不揮発性メモリ内に運転スイッチ３２のオン／オフ状態設定情報を記憶しておき、運転スイッチ３２がタッチ操作される毎にオン／オフ状態設定情報をオン状態とオフ状態との間で切替えるように構成できる。
【００４６】
さらに、本実施形態においては、パワーコンディショナ１は、オン／オフ状態を切替え操作可能な接点式の外部スイッチ１６を接続可能な外部スイッチ接続端子１６Ａ（外部スイッチ接続部）と、外部スイッチ状態信号生成回路１６Ｂとを備えている。外部スイッチ状態信号生成回路１６Ｂは、フォトカプラとプルアップ抵抗とにより主構成され、外部スイッチ接続端子１６Ａに接続された外部スイッチ１６が電路切断側（オン側）に操作されると情報制御部１４ＢにＨｉｇｈ信号（オン状態を示す信号）を出力し、外部スイッチ接続端子１６Ａに接続された外部スイッチ１６が電路短絡側（オフ側）に操作されると情報制御部１４ＢにＬｏｗ信号（オフ状態を示す信号）を出力し、さらに、外部スイッチ接続端子１６Ａに外部スイッチが接続されていないときは情報制御部１４ＢにＨｉｇｈ信号（オン状態を示す信号）を出力するよう構成されている。なお、図示実施例では親機にのみ外部スイッチ１６が接続されており、子機には外部スイッチ１６を接続していない模範接続例を示している。
【００４７】
本実施形態の特徴的構成は、上記外部スイッチ状態信号生成回路１６Ｂと、該生成回路１６Ｂが出力する外部スイッチ状態信号に基づく情報制御部１４Ｂによる電力変換回路の動作制御の停止条件並びに開始条件である。以下、情報制御部１４Ｂの好ましい制御構成の実施例について詳細に説明する。
【００４８】
（第１実施例）
第１実施例に係る親機の情報制御部１４Ｂの制御構成を説明すると、親機の情報制御部１４Ｂは、外部スイッチ状態信号生成回路１６Ｂから入力する外部スイッチの状態に関する情報を、子機の情報制御部１４Ｂに通信により送信する。
【００４９】
親機の情報制御部１４Ｂは、外部スイッチ状態信号生成回路１６Ｂから入力する外部スイッチの状態に関する信号がオフ状態を示す信号であれば外部スイッチ１６がオフ状態であると判定し、外部スイッチの状態に関する信号がオン状態を示す信号であれば外部スイッチ１６がオン状態であると判定する。
【００５０】
親機の情報制御部１４Ｂは、自機の運転スイッチ３２及び自機の外部スイッチ１６のいずれかがオフ状態であると判定すると、電力変換制御部１４Ａに対して運転停止指令を送出し、これにより電力変換回路の動作制御（具体的には、コンバータ１１及びインバータ１２のスイッチング素子１１２，１２０への制御信号の出力）を停止させる。なお、外部スイッチ１６が接続されていなければ、外部スイッチ状態信号生成回路１６Ｂは常時オン状態を示す信号を出力するため、自機の運転スイッチ３２の操作のみにしたがって動作制御の停止を行うこととなる。
【００５１】
また、親機の情報制御部１４Ｂは、自機の運転スイッチ３２及び自機の外部スイッチ１６のいずれもがオン状態であると判定すると、電力変換制御部１４Ａに対して運転開始指令を送出し、これにより電力変換回路の動作制御が開始される。ただし、例外的に、停電の発生を検知すると系統３から解列させるとともに電力変換回路の動作制御を強制的に停止させて、子機の情報制御部１４Ｂにも停電の発生を通信により報知し、停電発生の検知後に運転スイッチ３２及び自機の外部スイッチ１６のいずれかが一旦オフ状態に操作され再度オン状態に操作されたことを検出するまでは、電力変換制御部１４Ａに対して動作開始指令を送出せずに電力変換回路の動作制御停止状態を維持するように構成されており、これにより電力系統が停電から復帰した時に自動的に親機の運転が開始されることを禁止できる。
【００５２】
一方、子機の情報制御部１４Ｂは、親機の情報制御部１４Ｂとの通信によって、親機の外部スイッチ１６の状態を示す信号を受信するとともに、停電発生に関する情報を受信して、これら信号に基づいて、親機の外部スイッチ１６の状態を判定するとともに停電発生を検知することができる。
【００５３】
子機の情報制御部１４Ｂは、自機の運転スイッチ３２及び親機の外部スイッチ１６のいずれもがオン状態であると判定すると、電力変換制御部１４Ａに対して運転開始指令を送出し、これにより電力変換回路の動作制御が開始される。ただし、例外的に、停電の発生を検知すると系統３から解列させるとともに電力変換回路の動作制御を強制的に停止させて、停電発生の検知後に自機の運転スイッチ３２及び親機の外部スイッチ１６のいずれかが一旦オフ状態に操作され再度オン状態に操作されたことを検出するまでは、電力変換制御部１４Ａに対して動作開始指令を送出せずに電力変換回路の動作制御停止状態を維持するように構成されており、これにより電力系統が停電から復帰した時に自動的に親機の運転が開始されることを禁止できる。
【００５４】
また、親機との通信異常や通信確立できない場合には、親機の外部スイッチ１６の状態を示す信号を受信できないが、この場合には、親機の外部スイッチ１６の状態は「不明」と判定して、自機の運転スイッチ３２の状態のみに基づき、自機の運転スイッチ３２がオン状態であれば電力変換回路の動作制御を開始するが、例外的に、電力系統の停電発生を検知したときは、自機の運転スイッチ３２がオン状態であると判定していても、停電発生の検知後に自機の運転スイッチが一旦オフ状態に操作され再度オン状態に操作されたことを検出するまでは電力変換部の動作制御を停止するよう構成できる。
【００５５】
好ましくは、子機の情報制御部１４Ｂは、書換可能不揮発性メモリからなる外部スイッチ情報記憶部を備えることができ、親機の情報制御部１４Ｂとの通信が正常に行われているときに通信により受信した親機の外部スイッチの状態に関する情報を外部スイッチ情報記憶部に記憶して、該記憶部に記憶された情報に基づいて親機の外部スイッチ１６の状態を判定させることができる。なお、親機の情報制御部１４Ｂとの通信が正常に行われているときには、外部スイッチ情報記憶部に記憶された情報よりも、通信により親機の情報制御部１４Ｂから随時受信する外部スイッチの状態に関する情報を優先して、該受信情報に基づいて判定を行うこともできる。
【００５６】
さらに好ましくは、子機の情報制御部１４Ｂは、自機の運転スイッチ３２がオン状態からオフ状態へ及び／又はオフ状態からオン状態へ操作されたことを検出すると、外部スイッチ情報記憶部に記憶された情報をオン状態に上書きするよう構成できる。
【００５７】
（第２実施例）
上記第１実施例では、子機の情報制御部１４Ｂは、自機の外部スイッチ状態を何ら用いなかったが、自機の外部スイッチ状態信号生成回路が出力する信号に基づいて自機の外部スイッチがオン状態であるかオフ状態であるかを判定して、自機の運転スイッチ３２、親機の外部スイッチ及び自機の外部スイッチのいずれかがオフ状態であると判定すると電力変換部の動作制御を停止するよう構成することもできる。親機から外部スイッチの状態を示す信号を受信できない場合には、自機の運転スイッチ及び自機の外部スイッチのみに基づき、いずれもがオン状態であると判定すると電力変換部の動作制御を開始するよう構成できる。
【００５８】
このように、自分の外部スイッチ状態をもＡＮＤ条件として追加することにより、パワーコンディショナ１を１台のみしか設置しないにもかかわらずＩＤ設定のミスによって子機として設定された場合においても、当該子機に接続された外部スイッチの操作によって運転停止、再開を行うことができる。
【００５９】
（第３実施例）
上記第１実施例では、親機が外部スイッチ情報を子機に送信し、子機が受信した外部スイッチ情報に基づいて自機の運転を停止乃至開始させるかどうかを判定する構成としたが、親機の情報制御部１４Ｂがすべてのパワーコンディショナ１の運転を停止するか開始するかの判断を行って、子機に対して動作禁止指令信号若しくは動作許可指令信号のいずれかを送信するよう構成してもよい。
【００６０】
すなわち、親機の情報制御部１４Ｂは、すべての子機の情報制御部１４Ｂとの通信によって各子機の外部スイッチの状態を示す信号を受信・収集し、自機を含むすべてのパワーコンディショナの外部スイッチのいずれかがオフ状態であると判定すると、自機の電力変換回路の動作制御を停止するとともにすべての子機の情報制御部１４Ｂに対して動作禁止指令信号を送信し、一方、自機を含むすべてのパワーコンディショナのいずれもがオン状態であると判定すると、すべての子機の情報制御部１４Ｂに対して動作許可指令信号を送信するよう構成できる。この場合、子機の情報制御部１４Ｂは、動作禁止指令信号を受信したとき並びに自機の運転スイッチ３２がオフ状態であると判定したときのいずれの場合にも電力変換回路の動作制御を停止するとともに、動作許可指令信号を受信し且つ自機の運転スイッチ３２がオン状態であると判定すると電力変換回路の動作制御を開始するよう構成できる。
【００６１】
（第４実施例）
また、複数のパワーコンディショナ１の情報制御部１４Ｂに主従関係を設けずに、各情報制御部１４Ｂがブロードキャストによってすべての情報制御部１４Ｂに自機の外部スイッチの状態を示す信号を送信し、各情報制御部１４Ｂがそれぞれ通信線３０を流れる信号から他のすべてのパワーコンディショナ１の外部スイッチの状態を示す信号を抽出して、自機を含むすべてのパワーコンディショナの外部スイッチのいずれかがオフ状態であると判定したとき並びに自機の運転スイッチ３２がオフ状態であると判定したときのいずれの場合にも自機の電力変換部の動作制御を停止するよう構成できる。なお、自機を含むすべてのパワーコンディショナ１の外部スイッチがオン状態であると判定し且つ自機の運転スイッチ３２がオン状態であると判定すれば、停電検知時を除き電力変換制御部の動作制御を開始できる。
【００６２】
以上説明した本実施形態に係る発電システム並びにパワーコンディショナ１によれば、各パワーコンディショナ１はそれぞれ運転スイッチを備え、単独で動作可能であるとともに、複数のパワーコンディショナ１の通信接続時は識別ＩＤにより互いを別個体であると認識でき、外部スイッチ１６を接続しても接続しなくとも最低限の電力変換動作を行わせることができる。
【符号の説明】
【００６３】
１  パワーコンディショナ
２  発電部
３  電力系統
１６  外部スイッチ
１６Ａ  外部スイッチ接続部
１６Ｂ  外部スイッチ状態信号生成回路
【図１】
0006424565.tif 000002
【図２】
0006424565.tif 000003
【図３】
0006424565.tif 000004